(57)【要約】【課題】シリンジホルダーに簡便且つ確実に係止固定できるミキシングチップを提供する。【解決手段】２本のシリンジＹ，Ｙが固定されたシリンジホルダーＸの先端に２箇所で係止固定されるミキシングチップを、ミキシングエレメント１が内部に装着されたハウジング２と、２本のシリンジＹ，Ｙのノズルに取り付けられるペースト注入口3a及び各シリンジから押し出されたペーストをペースト注入口3aからハウジング２内へと導く流路部とを有しハウジング２の吐出口と反対側に位置する端部に固定されているペースト案内部材３と、ペースト案内部材３又はハウジング２に固定又は一体に形成されていてシリンジホルダーＸに係止固定させるための２つの係止部材とから構成させ、２つの係止部材を、シリンジホルダーＸに形成された係止孔に係止される爪部４とシリンジホルダーＸに穿設された穴部Xbに挿入される突起部５とするか、又はそれぞれ爪部４，４とする。【選択図】図１
2008229553.tif 000002
【特許請求の範囲】
【請求項１】
２本のシリンジ(Ｙ，Ｙ)が並列して固定されたシリンジホルダー(Ｘ)の先端に２箇所で係止固定されるミキシングチップであって、
ミキシングエレメント(１)が内部に装着されたハウジング(２)と、２本のシリンジ(Ｙ，Ｙ)のノズルに取り付けられるペースト注入口(3a)及び各シリンジからそれぞれ押し出されたペーストを該ペースト注入口(3a)から該ハウジング(２)内へと導く流路部(3b)とを有し該ハウジング(２)の吐出口と反対側に位置する端部に固定されているペースト案内部材(３)と、該ペースト案内部材(３)又は該ハウジング(２)に固定又は一体に形成されていてシリンジホルダー(Ｘ)に係止固定させるための２つの係止部材とから構成されていて、
２つの係止部材が、シリンジホルダー(Ｘ)に形成された係止孔(Xa)に係止される爪部(４)とシリンジホルダー(Ｘ)に穿設された穴部(Xb)に挿入される突起部(５)とであるか、又はそれぞれシリンジホルダー(Ｘ)に形成された係止孔(Xa，Xa)に係止される爪部(４，４)であることを特徴とするミキシングチップ。
【請求項２】
シリンジホルダー(Ｘ)と爪部(４)との係止状態を解除するために爪部(４)に更に解除機構(６)が設けられている請求項１に記載のミキシングチップ。
【発明の詳細な説明】
【技術分野】
【０００１】
本発明は、それぞれペーストが収納された２本のシリンジが並列して固定されたシリンジホルダーに簡便且つ確実に係止固定することができるミキシングチップに関するものである。
【背景技術】
【０００２】
複数のペーストを混練する場合、各ペーストが収納されたシリンジからそれぞれ押し出されたペーストを混練するために静的なミキシングチップがしばしば利用され、このミキシングチップは複数のシリンジが並列に取り付けられたシリンジホルダーの先端に係止固定される。
【０００３】
このミキシングチップにはシリンジホルダーに簡便に係止固定できることが求められており、そのようなミキシングチップとしては、ミキシングチップ（ミキサ）の下端外面に差込突起を設け、シリンジホルダー（カートリッジ）にはこのミキシングチップの差込突起を受容する差込突片を設けて、ミキシングチップをその差込突起がシリンジホルダーの差込突片と交差するようにして当接させ、凡そ９０度回転させて差込突起と差込突片とを係止固定するミキシングチップがある（例えば、特許文献１参照。）。しかしながら、このミキシングチップは、回転係止させただけであるから、必ずしも確実に係止させることができず、外れないようにするには何らかの防止機構が必要となる。
【０００４】
またより確実に係止固定できるものとしては、複数のシリンジを添わせた状態で各先端部分が１つの雄ねじを形成するようなシリンジを使用して、雄ねじが形成されたシリンジの先端部分にミキシングチップを当接させた状態で、これらを覆うようにカップリングナットを螺入させてミキシングチップとシリンジとを連結されるカートリッジがある（例えば、特許文献２参照。）。しかしながら、このカートリッジでは雄ねじ部分に（カップリング）ナットを螺入しなければならないので、ミキシングチップの装着に手間がかかり、更に、複数のシリンジを添わせた状態で雄ねじが形成されるような特殊な加工も必要となる。
【０００５】
【特許文献１】特開平８−２７６１２５号公報
【特許文献２】特開平４−２３９４７７号公報
【発明の開示】
【発明が解決しようとする課題】
【０００６】
本発明は前記の問題に鑑み、シリンジホルダーに簡便且つ確実に係止固定することができるミキシングチップを提供することを課題とする。
【課題を解決するための手段】
【０００７】
本発明者らは前記課題を解決すべく鋭意検討を重ねた結果、２本のシリンジが並列して固定されたシリンジホルダーの先端に２箇所で係止固定されるミキシングチップを、ミキシングエレメントが内部に装着されたハウジングと、２本のシリンジのノズルに取り付けられるペースト注入口及び各シリンジからそれぞれ押し出されたペーストを該ペースト注入口から該ハウジング内へと導く流路部とを有し該ハウジングの吐出口と反対側に位置する端部に固定されているペースト案内部材と、該ペースト案内部材に固定又は一体に形成されていてシリンジホルダーに係止固定させるための２つの係止部材とから構成させれば、ミキシングチップはシリンジホルダーに差し込むだけで２つの係止部材によって係止されるので、非常に簡便に係止固定することができ、この２つの係止部材が、シリンジホルダーに形成された係止孔に係止される爪部とシリンジホルダーに穿設された穴部に挿入される突起部とであるか、又はそれぞれシリンジホルダーに形成された係止孔に係止される爪部とすることにより、爪部で確実にシリンジホルダーに係止固定することができることを究明して本発明を完成したのである。
【０００８】
即ち、本発明は２本のシリンジが並列して固定されたシリンジホルダーの先端に２箇所で係止固定されるミキシングチップであって、ミキシングエレメントが内部に装着されたハウジングと、２本のシリンジのノズルに取り付けられるペースト注入口及び各シリンジからそれぞれ押し出されたペーストを該ペースト注入口から該ハウジング内へと導く流路部とを有し該ハウジングの吐出口と反対側に位置する端部に固定されているペースト案内部材と、該ペースト案内部材又は該ハウジングに固定又は一体に形成されていてシリンジホルダーに係止固定させるための２つの係止部材とから構成されていて、２つの係止部材が、シリンジホルダーに形成された係止孔に係止される爪部とシリンジホルダーに穿設された穴部に挿入される突起部とであるか、又はそれぞれシリンジホルダーに形成された係止孔に係止される爪部であることを特徴とするミキシングチップである。
【０００９】
また、シリンジホルダーと爪部との係止状態を解除するために爪部に更に解除機構が設けられていれば、容易にミキシングチップの交換ができて好ましいことも究明したのである。
【発明の効果】
【００１０】
本発明に係るミキシングチップは、２本のシリンジが並列して固定されたシリンジホルダーの先端に２箇所で係止固定されるミキシングチップであって、ミキシングエレメントが内部に装着されたハウジングと、２本のシリンジのノズルに取り付けられるペースト注入口及び各シリンジからそれぞれ押し出されたペーストを該ペースト注入口から該ハウジング内へと導く流路部とを有し該ハウジングの吐出口と反対側に位置する端部に固定されているペースト案内部材と、該ペースト案内部材に固定又は一体に形成されていてシリンジホルダーに係止固定させるための２つの係止部材とから構成されているから、ミキシングチップはシリンジホルダーに差し込むだけで２つの係止部材によって係止されるので非常に簡便に係止固定することができ、この２つの係止部材が、シリンジホルダーに形成された係止孔に係止される爪部とシリンジホルダーに穿設された穴部に挿入される突起部とであるか、又はそれぞれシリンジホルダーに形成された係止孔に係止される爪部であるから、２つの係止部材によって固定されるのでがたつくことがなく、また少なくとも１つの爪部でシリンジホルダーに係止されるので、確実にミキシングチップをシリンジホルダーに装着することができるのである。
【００１１】
また、シリンジホルダーと爪部との係止状態を解除するために爪部に更に解除機構が設けられている場合には、ミキシングチップの取り外しや交換が容易にでき、ミキシングチップ内のペーストが固まってもミキシングチップを交換することでシリンジ内に残ったペーストを無駄にすることがないのである。
【発明を実施するための最良の形態】
【００１２】
以下、図面を用いて本発明に係るミキシングチップについて詳細に説明する。
図１は本発明に係るミキシングチップの１実施例を分解した様子を示す斜視説明図、図２は図１の本発明に係るミキシングチップがシリンジホルダーに係止固定される前の様子を示す側面図、図３は図１の本発明に係るミキシングチップがシリンジホルダーに係止固定された様子を示す側面図、図４は本発明に係るミキシングチップの爪部を示す拡大斜視図、図５は本発明に係るミキシングチップの爪部が係止されるシリンジホルダーの係止孔を示す斜視図、図６は本発明に係るミキシングチップの他の実施例を示す側面図、図７は本発明に係るミキシングチップの更に他の実施例を示す側面図、図８は本発明に係るミキシングチップの爪部に設けられている解除機構を示す拡大斜視図、図９は本発明に係るミキシングチップを取り外す様子を示す説明図、図１０はペースト案内部材の内部の様子を示す断面説明図である。
【００１３】
図面中、１はハウジング２の内部に装着されているミキシングエレメントであり、このミキシングエレメント１としては、使用されるペーストが十分に混練できるものであれば、特に限定はない。またハウジング２についても特に限定はないが、内部のペーストが見えるように透明又は半透明であるとよい。
【００１４】
３は２本のシリンジＹ，Ｙのノズルに取り付けられるペースト注入口3a及び各シリンジＹ，Ｙからそれぞれ押し出されたペーストを該ペースト注入口3aから該ハウジング２内へと導く流路部3bとを有しこのハウジング２の吐出口と反対側に位置する端部に固定されているペースト案内部材である。このペースト案内部材３の流路部3bは、シリンジＹ，Ｙとハウジング２とを繋ぐ流路であり、各流路部3bの断面積比や体積比を工夫することで、練和開始初期から適正な比率の練和物を得ることができるようになる。
【００１５】
４及び５は、ペースト案内部材３又はハウジング２に固定又は一体に形成されていて、シリンジホルダーＸに係止固定させるための係止部材であって、４はシリンジホルダーＸに形成された係止孔Xaに係止される爪部であり、５はシリンジホルダーＸに穿設された穴部Xbに挿入される突起部である。本発明に係るミキシングチップでは、このような係止部材を２つ有していて、２つの係止部材は、シリンジホルダーＸに形成された係止孔Xaに係止される爪部４とシリンジホルダーＸに穿設された穴部Xbに挿入される突起部５とであるか、又はそれぞれシリンジホルダーＸに形成された係止孔Xa，Xaに係止される爪部４，４であり、少なくとも一方が爪部４となっていて、ミキシングチップをシリンジホルダーＸに確実に係止固定できるのである。
【００１６】
図２の態様では、係止部材がそれぞれ爪部４と突起部５とであり、爪部４は内側に向けて凸状をなしていて、シリンジホルダーＸに形成された係止孔Xaに係止される。一方、突起部５はシリンジホルダーＸに穿設された穴部Xbに挿入されるだけであるが、２点で係止されているので、本発明に係るミキシングチップはがたつくことなく、確実に係止固定することができるのである。また図７の如く、２つの係止部材がそれぞれ爪部４である場合には、更に確実に係止固定させることもできる。
【００１７】
６はシリンジホルダーＸと爪部４との係止状態を解除するために爪部４に更に設けられている解除機構であり、２つの係止部材のうち、シリンジホルダーＸから取り外せないように係止されるのは爪部４だけであるから、この解除機構６によって爪部４の係止状態を解除すれば、容易にミキシングチップを取り外すことができる。
【００１８】
このような本発明に係るミキシングチップを製作する場合、ミキシングエレメント１はその内部にハウジング２が装着されるために、ミキシングエレメント１とペースト案内部材３とは一体的に成形することが難しいので、それぞれ別体のものを製作して固定する。
これに対して、ペースト案内部材３と２つの係止部材とは、全てを一体的に成形させたり、これらのうち少なくとも２つを一体的に成形させたり、図１の如く全てを個々に製作して互いに固定させたりすることができる。
【００１９】
本発明に係るミキシングチップを実際にシリンジホルダーＸの先端に係止固定するには、図２の如く、本発明に係るミキシングチップを２本のシリンジＹ，Ｙが並列して固定されたシリンジホルダーＸの先端に向けて押し込むようにするだけで、簡単に係止固定することができる。
【００２０】
また図２の態様では、本発明に係るミキシングチップは爪部４に比べて突起部５が突出したような形状をなしており、シリンジホルダーＸもこれに合わせて先端側が斜めに削られたような形状をなしているので、誤った方向から係止固定しようとしても早期に気付き、ミキシングチップを破損させることがない。
【００２１】
次に、本発明に係るミキシングチップでは、図３の如く、ペースト案内部材３のペースト注入口3aが、シリンジＹ，Ｙのノズルに直接取り付けられるが、従来のミキシングチップ（特許文献１等）では装着時にミキシングチップを回転させなければならないので、ペースト注入口をシリンジのノズルに直接取り付けることはできなかった。そのため従来はシリンジのノズルから単に真っ直ぐ押し出されたペーストがペースト案内部材内部へと流れ込むだけであったため、流路となるミキシングチップ内部が角張ったものとなっている場合には、粘性の高いペーストの流れだけが滞ったり、流路が直線的になっている場合には、粘性の低いペーストだけが先にハウジングに到達して、適正な比率の練和物が得られないという問題が生じ易かったのである。
【００２２】
これに対して本発明に係るミキシングチップでは、図１０に示すようにシリンジＹ，Ｙのノズルから押し出されたペーストを流路部3bに直接導いているので、押し出された直後からペーストの流れ方向を容易に変えることができ、従来のような真っ直ぐ押し出されたペーストが角張った流路で滞ったりすることがなく、更に各流路部3bの断面積比や体積比を工夫することで、粘性の低いペーストだけが先にハウジング２に到達するようなことがなくなるので練和開始初期から適正な比率の練和物を得ることが可能である。
【００２３】
本発明に係るミキシングチップで使用されるようなペーストは、練和されると硬化するが、シリンジＹ，Ｙ内に残っている各ペーストは練和されていないので硬化しない。従って、シリンジＹ，Ｙ内にペーストが残った場合は、ミキシングチップを交換することによって後日使用することができる。本発明のようなミキシングチップでは、使用後の交換が容易にできるか否かも非常に重要となる。
【００２４】
そのため、本発明に係るミキシングチップにおいては、少なくとも１つの爪部４に更に解除機構６が設けられていると、容易にシリンジホルダーＸと爪部４との係止状態を解除することができて好ましいのである。解除機構６は例えば、図８の如く、爪部４をミキシングチップの外面側に突出した部位とその周囲の溝部とで構成させ、この突出した部位を押せば、てこの原理でシリンジホルダーＸの係止孔Xaに係止された爪部４の部位が浮き上がるようにすることができる。そして、図９の如く、この突出した部位を押しながらミキシングチップを引き抜けば容易に交換ができるのである。また、この突出した部位の近傍に、図８及び図９の如き指を引っかけるための凸状部７を設けておけば、ミキシングチップをより引き抜き易くて好ましいのである。
【図面の簡単な説明】
【００２５】
【図１】本発明に係るミキシングチップの１実施例を分解した様子を示す斜視説明図である。
【図２】図１の本発明に係るミキシングチップがシリンジホルダーに係止固定される前の様子を示す側面図である。
【図３】図１の本発明に係るミキシングチップがシリンジホルダーに係止固定された様子を示す側面図である。
【図４】本発明に係るミキシングチップの爪部を示す拡大斜視図である。
【図５】本発明に係るミキシングチップの爪部が係止されるシリンジホルダーの係止孔を示す斜視図である。
【図６】本発明に係るミキシングチップの他の実施例を示す側面図である。
【図７】本発明に係るミキシングチップの更に他の実施例を示す側面図である。
【図８】本発明に係るミキシングチップの爪部に設けられている解除機構を示す拡大斜視図である。
【図９】本発明に係るミキシングチップを取り外す様子を示す説明図である。
【図１０】ペースト案内部材の内部の様子を示す断面説明図である。
【符号の説明】
【００２６】
１  ミキシングエレメント
２  ハウジング
３  ペースト案内部材
3a  ペースト注入口
3b  流路部
４  爪部
５  突起部
６  解除機構
７  凸状部
Ｘ  シリンジホルダー
Xa  係止孔
Xb  穴部
Ｙ  シリンジ
【図１】
2008229553.tif 000003
【図２】
2008229553.tif 000004
【図３】
2008229553.tif 000005
【図４】
2008229553.tif 000006
【図５】
2008229553.tif 000007
【図６】
2008229553.tif 000008
【図７】
2008229553.tif 000009
【図８】
2008229553.tif 000010
【図９】
2008229553.tif 000011
【図１０】
2008229553.tif 000012
【手続補正書】
【提出日】平成20年7月24日(2008.7.24)
【手続補正１】
【補正対象書類名】特許請求の範囲
【補正対象項目名】請求項１
【補正方法】変更
【補正の内容】
【請求項１】
２本のシリンジ(Ｙ，Ｙ)が並列して固定されたシリンジホルダー(Ｘ)の先端に２箇所で係止固定されるミキシングチップであって、
ミキシングエレメント(１)が内部に装着されたハウジング(２)と、２本のシリンジ(Ｙ，Ｙ)のノズルに取り付けられるペースト注入口(3a)及び各シリンジからそれぞれ押し出されたペーストを該ペースト注入口(3a)から該ハウジング(２)内へと導く流路部(3b)を有し該ハウジング(２)の吐出口と反対側に位置する端部に固定されているペースト案内部材(３)と、該ペースト案内部材(３)又は該ハウジング(２)に固定又は一体に形成されていてシリンジホルダー(Ｘ)に係止固定させるための２つの係止部材とから構成されていて、
２つの係止部材が、シリンジホルダー(Ｘ)に形成された係止孔(Xa)に係止される爪部(４)とシリンジホルダー(Ｘ)に穿設された穴部(Xb)に挿入される突起部(５)とであるか、又はそれぞれシリンジホルダー(Ｘ)に形成された係止孔(Xa，Xa)に係止される爪部(４，４)であることを特徴とするミキシングチップ。
【手続補正２】
【補正対象書類名】明細書
【補正対象項目名】０００４
【補正方法】変更
【補正の内容】
【０００４】
またより確実に係止固定できるものとしては、複数のシリンジを添わせた状態で各先端部分が１つの雄ねじを形成するようなシリンジを使用して、雄ねじが形成されたシリンジの先端部分にミキシングチップを当接させた状態で、これらを覆うようにカップリングナットを螺入させてミキシングチップとシリンジとを連結させるカートリッジがある（例えば、特許文献２参照。）。しかしながら、このカートリッジでは雄ねじ部分に（カップリング）ナットを螺入しなければならないので、ミキシングチップの装着に手間がかかり、更に、複数のシリンジを添わせた状態で雄ねじが形成されるような特殊な加工も必要となる。
【手続補正３】
【補正対象書類名】明細書
【補正対象項目名】０００７
【補正方法】変更
【補正の内容】
【０００７】
本発明者らは前記課題を解決すべく鋭意検討を重ねた結果、２本のシリンジが並列して固定されたシリンジホルダーの先端に２箇所で係止固定されるミキシングチップを、ミキシングエレメントが内部に装着されたハウジングと、２本のシリンジのノズルに取り付けられるペースト注入口及び各シリンジからそれぞれ押し出されたペーストを該ペースト注入口から該ハウジング内へと導く流路部を有し該ハウジングの吐出口と反対側に位置する端部に固定されているペースト案内部材と、該ペースト案内部材に固定又は一体に形成されていてシリンジホルダーに係止固定させるための２つの係止部材とから構成させれば、ミキシングチップはシリンジホルダーに差し込むだけで２つの係止部材によって係止されるので、非常に簡便に係止固定することができ、この２つの係止部材が、シリンジホルダーに形成された係止孔に係止される爪部とシリンジホルダーに穿設された穴部に挿入される突起部とであるか、又はそれぞれシリンジホルダーに形成された係止孔に係止される爪部とすることにより、爪部で確実にシリンジホルダーに係止固定することができることを究明して本発明を完成したのである。
【手続補正４】
【補正対象書類名】明細書
【補正対象項目名】０００８
【補正方法】変更
【補正の内容】
【０００８】
即ち、本発明は２本のシリンジが並列して固定されたシリンジホルダーの先端に２箇所で係止固定されるミキシングチップであって、ミキシングエレメントが内部に装着されたハウジングと、２本のシリンジのノズルに取り付けられるペースト注入口及び各シリンジからそれぞれ押し出されたペーストを該ペースト注入口から該ハウジング内へと導く流路部を有し該ハウジングの吐出口と反対側に位置する端部に固定されているペースト案内部材と、該ペースト案内部材又は該ハウジングに固定又は一体に形成されていてシリンジホルダーに係止固定させるための２つの係止部材とから構成されていて、２つの係止部材が、シリンジホルダーに形成された係止孔に係止される爪部とシリンジホルダーに穿設された穴部に挿入される突起部とであるか、又はそれぞれシリンジホルダーに形成された係止孔に係止される爪部であることを特徴とするミキシングチップである。
【手続補正５】
【補正対象書類名】明細書
【補正対象項目名】００１０
【補正方法】変更
【補正の内容】
【００１０】
本発明に係るミキシングチップは、２本のシリンジが並列して固定されたシリンジホルダーの先端に２箇所で係止固定されるミキシングチップであって、ミキシングエレメントが内部に装着されたハウジングと、２本のシリンジのノズルに取り付けられるペースト注入口及び各シリンジからそれぞれ押し出されたペーストを該ペースト注入口から該ハウジング内へと導く流路部を有し該ハウジングの吐出口と反対側に位置する端部に固定されているペースト案内部材と、該ペースト案内部材に固定又は一体に形成されていてシリンジホルダーに係止固定させるための２つの係止部材とから構成されているから、ミキシングチップはシリンジホルダーに差し込むだけで２つの係止部材によって係止されるので非常に簡便に係止固定することができ、この２つの係止部材が、シリンジホルダーに形成された係止孔に係止される爪部とシリンジホルダーに穿設された穴部に挿入される突起部とであるか、又はそれぞれシリンジホルダーに形成された係止孔に係止される爪部であるから、２つの係止部材によって固定されるのでがたつくことがなく、また少なくとも１つの爪部でシリンジホルダーに係止されるので、確実にミキシングチップをシリンジホルダーに装着することができるのである。
【手続補正６】
【補正対象書類名】明細書
【補正対象項目名】００１４
【補正方法】変更
【補正の内容】
【００１４】
３は２本のシリンジＹ，Ｙのノズルに取り付けられるペースト注入口3a及び各シリンジＹ，Ｙからそれぞれ押し出されたペーストを該ペースト注入口3aから該ハウジング２内へと導く流路部3bを有しこのハウジング２の吐出口と反対側に位置する端部に固定されているペースト案内部材である。このペースト案内部材３の流路部3bは、シリンジＹ，Ｙとハウジング２とを繋ぐ流路であり、各流路部3bの断面積比や体積比を工夫することで、練和開始初期から適正な比率の練和物を得ることができるようになる。
【手続補正７】
【補正対象書類名】明細書
【補正対象項目名】００１８
【補正方法】変更
【補正の内容】
【００１８】
このような本発明に係るミキシングチップを製作する場合、ミキシングエレメント１はハウジング２の内部に装着されるために、ミキシングエレメント１とペースト案内部材３とは一体的に成形することが難しいので、それぞれ別体のものを製作して固定する。
これに対して、ペースト案内部材３と２つの係止部材とは、全てを一体的に成形させたり、これらのうち少なくとも２つを一体的に成形させたり、図１の如く全てを個々に製作して互いに固定させたりすることができる。